(57)【要約】【課題】色空間ｓＹＣＣのカラー画像情報を送信する場合におけるカラー画像情報の送受信の機能拡張に対応する。【解決手段】受信機が色空間ｓＹＣＣでのＪＰＥＧ符号情報の受信機能、色空間ｓＹＣＣでの１画素情報の拡張ビット数の受信機能及び色空間ｓＹＣＣでの非標準ガミュート範囲の受信機能を有している時（Ｓ３１）、色空間ｓＹＣＣのフルカラーＪＰＥＧ符号情報を、１画素情報の拡張ビット数及び色空間ｓＹＣＣでの非標準ガミュート範囲を指定し（Ｓ３２）、そのカラー画像情報を色空間ｓＹＣＣのフルカラーＪＰＥＧ符号情報で送信する（Ｓ３３）。【選択図】  図６
2004229136.tif 000002
【特許請求の範囲】
【請求項１】
カラー画像情報を送受信する画像通信方法であって、
送信側の通信装置に対して、
色空間ｓＹＣＣでのＪＰＥＧ符号情報の受信機能の有無を通知する工程と、
色空間ｓＹＣＣでの１画素情報の拡張ビット数の受信機能の有無を通知する工程と、
色空間ｓＹＣＣでの非標準ガミュート範囲の受信機能の有無を通知する工程とを有し、
受信側の通信装置に対して、
色空間ｓＹＣＣでのＪＰＥＧ符号情報の送信を指定する工程と、
色空間ｓＹＣＣでの１画素情報の拡張ビット数の送信を指定する工程と、
色空間ｓＹＣＣでの非標準ガミュート範囲の送信を指定する工程とを有し、
前記送信側の通信装置においてカラー画像情報の送信が選択されると、前記受信側の通信装置の有する機能に応じて、前記カラー画像情報のガミュート送信指定を変更することを特徴とする画像通信方法。
【発明の詳細な説明】
【０００１】
【発明の属する技術分野】
本発明は、カラー画像情報を送受信する技術に関するものである。
【０００２】
【従来の技術】
従来のファクシミリ装置は、モノクロ画像を通信するファクシミリ装置が主流であった。しかしながら最近は、インクジェットプリンタ、デジタルカメラ、及び、パソコンの普及に伴い、カラー画像情報を扱う機会が急増してきた。このような状況の下で、カラー画像情報の通信に対するニーズが急速に高まってきている。カラー画像の送受信に関する現在の規格は、ＩＴＵ−Ｔ勧告Ｔ．８２で規定されているＪＰＥＧ符号で、ＩＴＵ−Ｔ勧告Ｔ．４２の色空間Ｌａｂでフルカラー画像情報の送信を実行している。
【０００３】
【発明が解決しようとする課題】
従来より、通信するカラーファクシミリ画像情報の色空間はＬａｂを使用しているのに対し、例えば、デジタルスチルカメラで撮影したカラー画像情報の色空間はｓＹＣＣである。また、パソコンにてカラー画像を表示する場合の色空間はｓＹＣＣである。
【０００４】
従って、デジタルスチルカメラで撮影したカラー画像情報は、より広い色域をサポートしていくことが予想され、このような色空間ｓＹＣＣのカラー画像情報を送信する必要性が生じる。現在は、カラー画像の送受信は色空間Ｌａｂのカラー画像情報であるが、将来的にはカラー画像の送受信を色空間ｓＹＣＣで行うことが予想される。
【０００５】
本発明は上記従来例に鑑みてなされたもので、新たなカラー画像情報の通信形態を提供して、例えば色空間ｓＹＣＣのカラー画像情報を送信できる拡張機能を提供することを目的とする。
【０００６】
【課題を解決するための手段】
上記目的を達成するために本発明の画像通信方法は以下のような工程を備える。即ち、
カラー画像情報を送受信する画像通信方法であって、
送信側の通信装置に対して、
色空間ｓＹＣＣでのＪＰＥＧ符号情報の受信機能の有無を通知する工程と、
色空間ｓＹＣＣでの１画素情報の拡張ビット数の受信機能の有無を通知する工程と、
色空間ｓＹＣＣでの非標準ガミュート範囲の受信機能の有無を通知する工程とを有し、
受信側の通信装置に対して、
色空間ｓＹＣＣでのＪＰＥＧ符号情報の送信を指定する工程と、
色空間ｓＹＣＣでの１画素情報の拡張ビット数の送信を指定する工程と、
色空間ｓＹＣＣでの非標準ガミュート範囲の送信を指定する工程とを有し、
前記送信側の通信装置においてカラー画像情報の送信が選択されると、前記受信側の通信装置の有する機能に応じて、前記カラー画像情報のガミュート送信指定を変更することを特徴とする。
【０００７】
【発明の実施の形態】
以下、添付図面を参照して本発明の好適な実施の形態を詳細に説明する。
【０００８】
図１は、本発明の実施の形態に係るファクシミリ装置の構成を示すブロック図である。
【０００９】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを電話機４側に接続（ＣＭＬオフ）したり、電話回線２ａをファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａをＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａに出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報を入力し、それらを加算した結果を信号線１２ａに出力する。
【００１０】
１４はカラー画像を読み取り可能な読取回路で、読み取ったカラー画像データをバス２６に出力する。１６はフルカラー画像の記録が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号化した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をカードへ転送する選択キー、その他のファンクションキーがあり、この操作部２０で操作されたキー情報はバス２６を介して出力される。この操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。なお、このＣＰＵ２２の制御プログラムはＲＯＭ２４に格納されている。２８はカード・インターフェース部で、メモリカード３０（例えば、デジタルカメラで撮影した情報が記憶されているコンパクトフラッシュ（登録商標）カード）がセットされる。
【００１１】
［実施の形態１］
図２及び図３は、本発明の実施の形態１に係る、カラー画像情報の解像度関連のビット情報、カラー関連のビット情報、更に、新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間Ｌａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビット７０を「０」にする。ＤＣＳ信号のＦＩＦのビット７０により、色空間がＬａｂである優先使用ハフマン符号表を指定をする。
（４）ＤＩＳ／ＤＴＣ信号のＦＩＦのビット７１により、色空間Ｌａｂでの１２ビット／画素／要素の受信機能の有無を通知する。ＤＣＳ信号のＦＩＦのビット７１により、色空間Ｌａｂでの１２ビット／画素／要素送信を指定をする。尚、標準的に色空間Ｌａｂでの８ビット／画素／要素の受信機能を有している。
（５）ＤＩＳ／ＤＴＣ信号のＦＩＦのビット７３により、色空間Ｌａｂでのサブサンプリング無し（１：１：１）の受信機能の有無を通知する。ＤＣＳ信号のＦＩＦのビット７３により、色空間Ｌａｂでのサブサンプリング無し（１：１：１）送信を指定をする。尚、標準的には色空間Ｌａｂでのサブサンプリング（４：１：１）の受信機能を有している。
（６）ＤＩＳ／ＤＴＣ信号のＦＩＦのビット７４により、色空間Ｌａｂでの非標準照射光での受信機能の有無を通知する。ＤＣＳ信号のＦＩＦのビット７４により、色空間Ｌａｂでの非標準照射光での送信を指定をする。
（７）ＤＩＳ／ＤＴＣ信号のＦＩＦのビット７５により、色空間Ｌａｂでの非標準ガミュート範囲での受信機能の有無を通知する。ＤＣＳ信号のＦＩＦのビット７５により、色空間Ｌａｂでの非標準ガミュート範囲での送信を指定をする。
（８）ＤＩＳ／ＤＴＣ信号のＦＩＦのビットＸにより、色空間ｓＹＣＣでのＪＰＥＧ受信機能の有無を通知する。ＤＣＳ信号のＦＩＦのビットＸにより、色空間ｓＹＣＣでのＪＰＥＧ送信を指定をする。
（９）ＤＩＳ／ＤＴＣ信号のＦＩＦのビット（Ｘ＋１）により、色空間ｓＹＣＣのフルカラー画像の受信機能の有無を通知する。ＤＣＳ信号のＦＩＦのビット（Ｘ＋１）により、色空間ｓＹＣＣのフルカラー画像の送信を指定をする。
（１０）ＤＩＳ／ＤＴＣ信号のＦＩＦのビット（Ｘ＋２）を「０」にする。ＤＣＳ信号のＦＩＦのビット（Ｘ＋２）により、色空間ｓＹＣＣの優先使用ハフマン符号表を指定をする。
（１１）ＤＩＳ／ＤＴＣ信号のＦＩＦのビット（Ｘ＋３）により、色空間ｓＹＣＣでのｎ（ｎは８以上の整数）ビット／画素／要素の受信機能の有無を通知する。ＤＣＳ信号のＦＩＦのビット（Ｘ＋３）により、色空間ｓＹＣＣでのｎ（ｎは８以上の整数）ビット／画素／要素送信を指定をする。尚、標準的には、色空間ｓＹＣＣでの８ビット／画素／要素の受信機能を有している。
（１２）ＤＩＳ／ＤＴＣ信号のＦＩＦのビット（Ｘ＋４）により、色空間ｓＹＣＣでのサブサンプリング（４：２：２）以外の受信機能の有無を通知する。ＤＣＳ信号のＦＩＦのビット（Ｘ＋４）により、色空間ｓＹＣＣでのサブサンプリング（４：２：２）以外の送信を指定をする。尚、標準的には、色空間ｓＹＣＣでのサブサンプリング（４：２：２）の受信機能を有している。
（１３）ＤＩＳ／ＤＴＣ信号のＦＩＦのビット（Ｘ＋５）により、色空間ｓＹＣＣでのＤ５０光源での受信機能の有無を通知する。ＤＣＳ信号のＦＩＦのビット（Ｘ＋５）により、色空間ｓＹＣＣでのＤ５０光源での送信を指定をする。尚、標準的には、色空間ｓＹＣＣでのＤ６５光源の受信機能を有している。
（１４）ＤＩＳ／ＤＴＣ信号のＦＩＦのビット（Ｘ＋６）により、色空間ｓＹＣＣでの非標準ガミュート範囲での受信機能の有無を通知する。ＤＣＳ信号のＦＩＦのビット（Ｘ＋６）により、色空間ｓＹＣＣでの非標準ガミュート範囲での送信を指定をする。
【００１２】
以上の構成を備える本実施の形態１に係るファクシミリ装置では、前手順にて、受信機から送信機に対して、その受信機が有している機能に応じて、色空間ＬａｂでのＪＰＥＧ符号の受信機能の有無、色空間Ｌａｂでのフルカラー画像情報の受信機能の有無、色空間Ｌａｂでの１画素情報の拡張ビット数の受信機能の有無、色空間Ｌａｂでのサブサンプリングの受信機能の有無、色空間Ｌａｂでの非標準照射光の受信機能の有無、色空間Ｌａｂでの非標準ガミュート範囲の受信機能の有無、色空間ｓＹＣＣでのＪＰＥＧ符号情報の受信機能の有無、色空間ｓＹＣＣでの１画素情報の拡張ビット数の受信機能の有無、色空間ｓＹＣＣでのサブサンプリングの受信機能の有無、色空間ｓＹＣＣでの非標準照射光の受信機能の有無、及び色空間ｓＹＣＣでの非標準ガミュート範囲の受信機能の有無、いずれか或いは全てを通知する機能を有する。
【００１３】
一方、前手順にて、送信機から受信機に対して、色空間ＬａｂでのＪＰＥＧ符号の送信指定、色空間Ｌａｂでのフルカラー画像情報の送信指定、色空間Ｌａｂでの１画素情報の拡張ビット数の送信指定、色空間Ｌａｂでのサブサンプリングの送信指定、色空間Ｌａｂでの非標準照射光の送信指定、色空間Ｌａｂでの非標準ガミュート範囲の送信指定、色空間ｓＹＣＣでのＪＰＥＧ符号情報の送信指定、色空間ｓＹＣＣでの１画素情報の拡張ビット数の送信指定、色空間ｓＹＣＣでのサブサンプリングの送信指定、色空間ｓＹＣＣでの非標準照射光の送信指定、及び色空間ｓＹＣＣでの非標準ガミュート範囲の送信指定のいずれか、或いはその幾つかを行うことができる機能を有する。
【００１４】
そして送信機で、原稿画像のカラー送信が選択されると、送信モードに基づいて、カラー画像情報の送信時のガミュート送信指定を変更する。そして送信機で原稿送信のカラー画像の送信が選択されると、その送信モードに基づいてカラー画像情報の送信時の１画素情報の拡張ビット数の送信指定を変更することができる。
【００１５】
以上の構成により、送信機で原稿画像のカラー送信が選択されると、色空間ｓＹＣＣでのカラー画像の通信を、色空間Ｌａｂでのカラー画像通信より優先させることができる。
【００１６】
より具体的には、送信機で、原稿画像のカラー画像送信が選択された時は、色空間ｓＹＣＣでのカラー画像の通信が可能であれば、送信モードに基づいて、カラー画像情報の送信時のガミュート送信指定を変更する。また送信機で原稿画像のカラー画像送信が選択されると、色空間ｓＹＣＣでのカラー画像通信が可能であれば、送信モードに基づいて、カラー画像情報の送信時の１画素情報の拡張ビット数の送信指定を変更する。
【００１７】
一方、送信機で、原稿画像のカラー画像送信が選択され、色空間ｓＹＣＣでのカラー画像通信が不可能で、色空間Ｌａｂでのカラー画像通信を実行するのであれば、送信モードに基づいて、カラー画像情報の送信時のガミュート送信指定をしない。即ち、送信機で原稿のカラー画像送信が選択されると、色空間ｓＹＣＣでのカラー画像通信が不可能で、色空間Ｌａｂでのカラー画像通信を実行するのであれば、送信モードに基づいて、カラー画像情報の送信時のガミュート送信指定をデフォルト値とする。
【００１８】
また、送信機において原稿のカラー画像の送信が選択された時、色空間ｓＹＣＣでのカラー画像通信が不可能で色空間Ｌａｂでのカラー画像通信を実行するのであれば、送信モードに基づいて、カラー画像情報の送信時の１画素情報の拡張ビット数の送信指定を変更しない。即ち、送信機において、原稿のカラー画像送信が選択され、色空間ｓＹＣＣでのカラー画像通信が不可能で色空間Ｌａｂでのカラー画像通信を実行するのであれば、送信モードに基づいて、カラー画像情報を送信する時の１画素情報の拡張ビット数の送信指定をデフォルト値とする。
【００１９】
図４乃至図８は、本発明の実施の形態１に係るファクシミリ装置における処理を示すフローチャートであり、この処理を実行するプログラムはＲＯＭ２４に記憶されており、ＣＰＵ２２の制御の下に実行される。
【００２０】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ送信が選択されたか否かを判断し、ファクシミリ送信が選択された時はステップＳ６に進み、そうでない時はステップＳ５に進み、選択或いは指示された、その他の処理を行ってステップＳ３に戻る。
【００２１】
ステップＳ４でファクシミリ送信が選択されるとステップＳ６に進み、バス２６を介してＮＣＵ２のＣＭＬをオンする。次にステップＳ７に進み、発呼回路１０を使用して、指定された送信の宛先へ発呼する。そしてステップＳ８に進み、前手順を実行する。次にステップＳ９に進み、読取回路１４によるカラー原稿の読み取りが選択されたか否かを判定し、カラー原稿の読取りが選択されるとステップＳ２１（図５（Ｂ））に進み、そうでない時はステップＳ１０（図５（Ａ））に進み、残りの前手順を実行する。ここではカラー画像情報の送信ではないため、ＤＣＳ信号のＦＩＦのビット６８，６９，７０，７１，７３，７４，７５，Ｘ，（Ｘ＋１），（Ｘ＋２），（Ｘ＋３），（Ｘ＋４），（Ｘ＋５），（Ｘ＋６）を全て「０」にするか、或いは、これらを送信しない。次にステップＳ１１に進み、読取回路１４により原稿画像を読み取り、モノクロの２値画像情報として送信する。そしてステップＳ１２に進み、後手順を実行してステップＳ３に進む。
【００２２】
一方、図４のステップＳ９でカラーでの原稿画像の読取りが選択されるとステップＳ２１（図５（Ｂ））に進み、ＤＩＳ信号のＦＩＦのビットＸ，（Ｘ＋１）のいずれかが「１」であるか（色空間ｓＹＣＣでのＪＰＥＧ或いはフルカラー受信可能）否かを判定し、そうであればステップＳ２２に進み、操作部２０における入力情報を基に、設定されている送信モードを判定する。原稿カラー（ここでは、モノカラー）モードが選択されているとステップＳ４４（図７）に進むが、写真カラー（ここでは、カラー写真情報）モードが選択されているとステップＳ２３に進み、ＤＩＳ信号のＦＩＦのビット（Ｘ＋３）が「１」であるか（色空間ｓＹＣＣでのｎビット／画素／要素の受信機能有り）否かが判断され、その受信機能を有しているとステップＳ３１（図６）に進み、ＮＯであるとステップＳ４１（図７）に進む。
【００２３】
図６のステップＳ３１では、ＤＩＳ信号のＦＩＦのビット（Ｘ＋６）が「１」（色空間ｓＹＣＣでの非標準ガミュート範囲での受信機能有り）かどうかを判定し、そうであればステップＳ３２に進み、残りの前手順を実行する。ここでは、ＤＣＳ信号のＦＩＦのビットＸ，（Ｘ＋１），（Ｘ＋３），（Ｘ＋６）を「１」にする（色空間ｓＹＣＣでのＪＰＥＧ，フルカラー送信、及び色空間ｓＹＣＣでのｎビット／画素／要素、非標準ガミュート範囲での送信指定）。次にステップＳ３３に進み、カラーの原稿画像情報を色空間ｓＹＣＣにてＪＰＥＧフルカラーで送信する。ここで、色空間ｓＹＣＣで、１２ビット／画素／要素とし、また色空間ｓＹＣＣでの非標準ガミュート送信とする。そしてステップＳ３４に進み、後手順を実行してステップＳ３に進む。
【００２４】
一方、ステップＳ３１で、ＤＩＳ信号のＦＩＦのビット（Ｘ＋６）が「１」でない時はステップＳ３５に進み、残りの前手順を実行する。ここでは、ＤＣＳ信号のＦＩＦのビットＸ，（Ｘ＋１），（Ｘ＋３）を「１」とし（色空間ｓＹＣＣでのＪＰＥＧ，フルカラー送信、及び色空間ｓＹＣＣでのｎビット／画素／要素の送信指定）、ビット（Ｘ＋６）を「０」にする。そしてステップＳ３６に進み、カラーの原稿画像情報を色空間ｓＹＣＣでＪＰＥＧ符号のフルカラーで送信する。尚、ここでは、色空間ｓＹＣＣでの１２ビット／画素／要素とする。
【００２５】
また図５（Ｂ）のステップＳ２３で、ＤＩＳ信号のＦＩＦのビット（Ｘ＋３）が「１」でない（色空間ｓＹＣＣでのｎビット／画素／要素の受信機能なし）時はステップＳ４１（図７）に進み、ＤＩＳ信号のＦＩＦのビット（Ｘ＋６）が「１」であるか否かを判定し、そうであれば、即ち、色空間ｓＹＣＣで非標準ガミュート範囲での受信機能があればステップＳ４２に進み、残りの前手順を実行する。ここでは、ＤＣＳ信号のＦＩＦのビットＸ，（Ｘ＋１），（Ｘ＋６）を「１」に（色空間ｓＹＣＣでのＪＰＥＧ，フルカラー送信、及び色空間ｓＹＣＣでの非標準ガミュート範囲での送信指定）、ビット（Ｘ＋３）を「０」にする（色空間ｓＹＣＣでのｎビット／画素／要素の送信なし）。次にステップＳ４３に進み、カラーの原稿画像情報を色空間ｓＹＣＣにて、ＪＰＥＧ符号のフルカラーで送信する。尚、ここでは、色空間ｓＹＣＣでの非標準ガミュート送信とする。そしてステップＳ３４に進み、後手順を実行してステップＳ３に戻る。
【００２６】
またステップＳ４１で、、ＤＩＳ信号のＦＩＦのビット（Ｘ＋６）が「１」でないとき、或いは図５（Ｂ）のステップＳ２２で、送信モードが原稿カラーの場合はステップＳ４４に進み、残りの前手順を実行する。ここでは、ＤＣＳ信号のＦＩＦのビットＸ，（Ｘ＋１）を「１」とし（色空間ｓＹＣＣでのＪＰＥＧ，フルカラー送信指定）、ビット（Ｘ＋３），（Ｘ＋６）を「０」にする。そしてステップＳ４５に進み、カラーの原稿画像情報を色空間ｓＹＣＣにて、ＪＰＥＧ符号のフルカラーで送信する。そしてステップＳ３４に進み、後手順を実行してステップＳ３に戻る。
【００２７】
また図５（Ｂ）のステップＳ２１で、ＤＩＳ信号のＦＩＦのビットＸ，（Ｘ＋１）のいずれも「１」でない時はステップＳ５１（図８）に進み、ＤＩＳ信号のＦＩＦのビット６８，６９が「１」であるか、即ち、色空間ＬａｂでのＪＰＥＧ或いはフルカラー受信機能があるかどうかを判定し、あればステップＳ５２に進み、なければ前述したステップＳ１０（図５（Ａ））に進む。ステップＳ５２では、残りの前手順を実行する。ここでは、ＤＣＳ信号のＦＩＦのビット６８，６９を「１」とし（色空間ＬａｂでのＪＰＥＧ，フルカラー送信指定）、ビット７１，７５を「０」にする（色空間Ｌａｂでの１２ビット／画素／要素、非標準ガミュート範囲での送信なし）。そしてステップＳ５３に進み、カラーの原稿画像情報を色空間Ｌａｂで、ＪＰＥＧ符号のフルカラーで送信する。ここでは、色空間Ｌａｂでの８ビット／画素／要素（デフォルト値）とし、また色空間Ｌａｂでの標準ガミュート（デフォルト値）送信とする。そしてステップＳ３４（図６）に進み、後手順を実行してステップＳ３に戻る。
【００２８】
以上説明したように本実施の形態１によれば、色空間ｓＹＣＣでカラー原稿画像情報を送信する場合、選択された送信モードに応じて、１画素情報の拡張ビット数の送信指定、及び色空間ｓＹＣＣのカラー画像情報の送信時のガミュート送信指定を変更することができ、送信モードに従い、より広い色域をサポーすることが可能になる。
【００２９】
又本実施の形態１によれば、カラー原稿画像を送信する場合、色空間Ｌａｂの通信よりも色空間ｓＹＣＣでの通信を優先させ、色空間ｓＹＣＣでの通信時は、選択された送信モードにより、１画素情報の拡張ビット数の送信指定、及び色空間ｓＹＣＣのカラー情報の送信時のガミュート送信指定を変更することができる。
【００３０】
一方、色空間Ｌａｂでの通信時は、選択された送信モードによらず、１画素情報の拡張ビット数の送信指定、及び色空間ｓＹＣＣのカラー画像情報の送信時のガミュート送信指定はデフォルト値とすることができる。これにより、発展性の広い色空間ｓＹＣＣのカラー画像データに対しては、送信モードに応じてより広い色域をサポートすることが可能になる。一方、既に確立されている色空間Ｌａｂに対しては色域の拡張はせず確実な通信を実行でき使い易くなった。
【００３１】
［実施の形態２］
次に本発明の実施の形態２について説明する。この実施の形態２における、カラー画像の送受信関連のビット情報、及び新規にＩＴＵ−Ｔ勧告Ｔ．３０に追加する情報は基本的に前述の実施の形態１（図２及び図３）と同様であるが、ＤＩＳ／ＤＴＣ信号のＦＩＦのビット（Ｘ＋５）において、色空間ｓＹＣＣでの非標準光源での受信機能の有無を通知すること、及びＤＣＳ信号のＦＩＦのビット（Ｘ＋５）により、色空間ｓＹＣＣでの非標準光源での送信を指定をする点のみが異なっている。尚、標準的には、色空間ｓＹＣＣでのＤ６５光源の受信機能を有している。又、この実施の形態２に係るファクシミリ装置のハードウェア構成は前述の実施の形態１と同様である。
【００３２】
本発明の実施の形態２に係る画像通信装置は、前手順にて、受信機から送信機に対して、その受信機の機能に応じて、色空間ＬａｂでのＪＰＥＧ符号情報の受信機能の有無、色空間Ｌａｂでのフルカラー画像情報の受信機能の有無、色空間Ｌａｂでの１画素情報の拡張ビット数の受信機能の有無、色空間Ｌａｂでのサブサンプリングの受信機能の有無、色空間Ｌａｂでの非標準照射光の受信機能の有無、色空間Ｌａｂでの非標準ガミュート範囲の受信機能の有無、色空間ｓＹＣＣでのＪＰＥＧ符号の受信機能の有無、色空間ｓＹＣＣでのフルカラー画像情報の受信機能の有無、色空間ｓＹＣＣでの１画素情報の拡張ビット数の受信機能の有無、色空間ｓＹＣＣでのサブサンプリングの受信機能の有無、色空間ｓＹＣＣでの非標準照射光の受信機能の有無、更には色空間ｓＹＣＣでの非標準ガミュート範囲の受信機能の有無のいずれか、或いは全てを通知する機能を有している。
【００３３】
一方、送信機から受信機に対して、前手順にて、色空間ＬａｂでのＪＰＥＧ符号情報の送信指定、色空間Ｌａｂでのフルカラー画像情報の送信指定、色空間Ｌａｂでの１画素情報の拡張ビット数の送信指定、色空間Ｌａｂでのサブサンプリングの送信指定、色空間Ｌａｂでの非標準照射光の送信指定、色空間Ｌａｂでの非標準ガミュート範囲の送信指定、色空間ｓＹＣＣでのＪＰＥＧ符号情報の送信指定、色空間ｓＹＣＣでのフルカラー画像情報の送信指定、色空間ｓＹＣＣでの１画素情報の拡張ビット数の送信指定、色空間ｓＹＣＣでのサブサンプリングの送信指定、色空間ｓＹＣＣでの非標準照射光の送信指定、色空間ｓＹＣＣでの非標準ガミュート範囲の送信指定のいずれか、或いはその幾つかを指定することができる。そして、送信機における送信ファイルに基づいて、色空間ｓＹＣＣのカラー画像情報の送信時のガミュート送信指定、及び、１画素情報の拡張ビット数の送信指定を変更する。
【００３４】
図９乃至図１６は、本発明の実施の形態２に係るファクシミリ装置における処理を説明するためのフローチャートで、この処理を実行するプログラムはＲＯＭ２４に格納されており、ＣＰＵ２２の制御の下に実行される。
【００３５】
この処理が開始されると、まずステップＳ６１で、バス２６を介して、メモリ１８をイニシャライズする。次にステップＳ６２に進み、バス２６を介して操作部２０の表示部をクリアする。そしてステップＳ６３に進み、バス２６を介してＮＣＵ２のＣＭＬをオフする。そしてステップＳ６４に進み、操作部２０により送信が選択されたか否かを判断し、送信が指示されるとステップＳ８１（図１１）に進み、そうでなければステップＳ６５に進む。ステップＳ６５では、受信が選択されたか否かを判定する。受信が選択されるとステップＳ６７に進むが、そうでない時はステップＳ６６に進み、操作部２０を使用してオペレータにより指示された、その他の処理を行ってステップＳ６３に戻る。
【００３６】
ステップＳ６５で受信が選択されるとステップＳ６７に進み、バス２６を介してＮＣＵ２のＣＭＬをオンする。次にステップＳ６８に進み、前手順を実行する。ここでは、ＤＩＳ信号のＦＩＦのビット６８，６９，７１，７３，７４，７５，Ｘ，（Ｘ＋１），（Ｘ＋３），（Ｘ＋４），（Ｘ＋６）を全て「１」にする。次にステップＳ７１（図１０）に進み、ＤＣＳ信号のＦＩＦのビットＸが「１」であるか否かを判定する。ビットＸが「１」であれば、即ち、色空間ｓＹＣＣでのＪＰＥＧ送信が指定されているとステップＳ７２に進み、受信した色空間ｓＹＣＣのＪＰＥＧ符号をメモリカード３０に格納する。そしてステップＳ７３に進み、後手順を実行してステップＳ６３に戻る。これにより、色空間ｓＹＣＣのＪＰＥＧ符号をメモリカード３０に記憶することができる。
【００３７】
一方、ステップＳ７１で、ビットＸが「１」でない時はステップＳ７４に進み、送信機から指定された通信モードでの受信、復号及び記録処理を実行する。そしてステップＳ７５に進み、後手順を実行してステップＳ６３に戻る。
【００３８】
また、図９のステップＳ６４で送信が指示された時はステップＳ８１（図１１）に進み、バス２６を介してＮＣＵ２のＣＭＬをオンする。次にステップＳ８２に進み、発呼回路１０を使用して、指定された宛先へ発呼する。次にステップＳ８３に進み、前手順を実行する。次にステップＳ８４に進み、ファイル情報の送信が選択されたか否かを判断し、そうであればステップＳ８５に進み、メモリカード３０に格納されている画像情報が標準ビット数でかつ、標準ガミュートであるか否かを判断する。そうであればステップＳ８６に進み、ＤＩＳ信号のＦＩＦのビットＸ，（Ｘ＋１）が「１」であるか（色空間ｓＹＣＣでフルカラー及びＪＰＥＧ符号受信可能）否かを判定する。そうであれば、即ち、色空間ｓＹＣＣでのＪＰＥＧ符号或いはフルカラーでの受信機能有りの場合はステップＳ８７に進み、残りの前手順を実行する。ここでは、ＤＣＳ信号のＦＩＦのビットＸ，（Ｘ＋１）を「１」に（色空間ｓＹＣＣでのＪＰＥＧ符号或いはフルカラーでの送信指定）、ビット（Ｘ＋３），（Ｘ＋６）を「０」にする。そしてステップＳ８８に進み、メモリカード３０に格納されている色空間ｓＹＣＣのＪＰＥＧ符号をそのまま送信する。そしてステップＳ８９に進み、後手順を実行してステップＳ６３（図９）に進む。
【００３９】
またステップＳ８６で、ＤＩＳ信号のＦＩＦのビットＸ，（Ｘ＋１）のいずれも「１」でない時（色空間ｓＹＣＣでのカラー受信機能なし）はステップＳ９１（図１２（Ａ））に進み、操作部２０の表示部に「相手機に受信能力が無いため、ファクシミリ通信を禁止します」と表示する。この表示は、何らかのキー操作で消去される。そしてステップＳ６３に進む。
【００４０】
またステップＳ８５で、メモリカード３０に格納されている画像情報が標準ビット数でかつ、標準ガミュートでない時はステップＳ９２（図１２（Ｂ））に進み、ＤＩＳ信号のＦＩＦのビット（Ｘ＋３），（Ｘ＋６）により、受信機にメモリカードに格納されているビット数／画素／要素、ガミュートでの受信機能があるか否かを判断し、受信機がその機能を有していればステップＳ９３に進み、メモリカード３０に格納されている色空間ｓＹＣＣのＪＰＥＧ符号が８ビット（標準ビット）数／画素／要素であるか否かを判定する。そうであればステップＳ１１０（図１４（Ａ））に進むが、そうでない時はステップＳ９４に進む。ステップＳ９４では、メモリカード３０に格納されている色空間ｓＹＣＣのＪＰＥＧ符号は標準ガミュートであるか否かを判断し、そうであればステップＳ１０１（図１３（Ｂ））に進むが、そうでない時はステップＳ９５に進み、残りの前手順を実行する。ここでは、ＤＣＳ信号のＦＩＦのビットＸ，（Ｘ＋１），（Ｘ＋３），（Ｘ＋６）を「１」にする（色空間ｓＹＣＣのフルカラー，ＪＰＥＧ、ｎビット／画素／要素、及び非標準ガミュート範囲での送信指定）。そしてステップＳ９６（図１３（Ａ））に進み、色空間ｓＹＣＣのＪＰＥＧ符号情報を、８ビット／画素／要素以外で、非標準ガミュートにて、メモリカード３０に格納されている情報をそのまま送信する。そしてステップＳ９７に進み、後手順を実行してステップＳ６３に戻る。
【００４１】
一方、図１２（Ｂ）のステップＳ９４で、色空間ｓＹＣＣのＪＰＥＧ符号が標準ガミュートであればステップＳ１０１（図１３（Ｂ））に進み、残りの前手順を実行する。ここでは、ＤＣＳ信号のＦＩＦのビットＸ，（Ｘ＋１），（Ｘ＋３）を「１」にする（色空間ｓＹＣＣのフルカラー，ＪＰＥＧ、及びｎビット／画素／要素での送信指定）。次にステップＳ１０２に進み、色空間ｓＹＣＣのＪＰＥＧ符号情報を、８ビット／画素／要素以外で、メモリカード３０に格納されている情報をそのまま送信する。そしてステップＳ１０３に進み、後手順を実行してステップＳ６３に進む。
【００４２】
また前述のステップＳ９３（図１２（Ｂ））で、色空間ｓＹＣＣのＪＰＥＧ符号が８ビット（標準ビット）数／画素／要素でない場合はステップＳ１１０（図１４（Ａ））に進み、残りの前手順を実行する。ここでは、ＤＣＳ信号のＦＩＦのビットＸ，（Ｘ＋１），（Ｘ＋６）を「１」にする（色空間ｓＹＣＣのフルカラー，ＪＰＥＧ、及び非標準ガミュート範囲での送信指定）。次にステップＳ１１１に進み、色空間ｓＹＣＣのＪＰＥＧ符号情報を、非標準ガミュートにて、メモリカード３０に格納されている情報をそのまま送信する。そしてステップＳ１１２に進み、後手順を実行してステップＳ６３に進む。
【００４３】
また図１１のステップＳ８４でファイル画像の送信が指定されていない時はステップＳ１１３（図１４（Ｂ））に進み、カラー原稿を読み取って送信するように選択されたか否かを判断し、そうであればステップＳ１１４に進み、残りの前手順を実行する。ここでは、ＤＣＳ信号のＦＩＦのビット６８，６９，７０，７１，７３，７４，７５，Ｘ，（Ｘ＋１），（Ｘ＋２），（Ｘ＋３），（Ｘ＋４），（Ｘ＋５），（Ｘ＋６）を全て「０」にする。次にステップＳ１１５に進み、読取回路１４で読み取った原稿情報をモノクロの２値情報として送信する。そしてステップＳ１１６に進み、後手順を実行してステップＳ６３に戻る。
【００４４】
一方、ステップＳ１１３で、カラー画像の送信が選択されている時はステップＳ１２１（図１５）に進み、ＤＩＳ信号のＦＩＦのビット６８，６９が「１」であるか否かを判定し、そうであれば（色空間ＬａｂでのＪＰＥＧ，フルカラー送信指定）ステップＳ１２２に進み、残りの前手順を実行する。ここでは、ＤＣＳ信号のＦＩＦのビット６８，６９を「１」にし（色空間ＬａｂでのＪＰＥＧ，フルカラー送信指定）、ビット７１，７５を「０」にする。そしてステップＳ１２３に進み、原稿情報を色空間ＬａｂのフルカラーのＪＰＥＧ符号として、８ビット／画素／要素で、かつ、標準ガマットでの送信をする。そしてステップＳ１２４に進み、後手順を実行してステップＳ６３に戻る。
【００４５】
またステップＳ１２１で、ＤＩＳ信号のＦＩＦのビット６８，６９が「１」でないときはステップＳ１２５に進み、ＤＩＳ信号のＦＩＦのビットＸ，（Ｘ＋１）がともに「１」であるか否かを判定し、そうであれば（色空間ｓＹＣＣでのＪＰＥＧ，フルカラー送信指定）ステップＳ１２６に進み、残りの前手順を実行する。ここでは、ＤＣＳ信号のＦＩＦのビットＸ，（Ｘ＋１）を「１」にし、ビット（Ｘ＋３），（Ｘ＋６）を「０」にする。そしてステップＳ１２７（図１６）に進み、原稿情報を色空間ｓＹＣＣのフルカラーのＪＰＥＧ符号として、８ビット／画素／要素で、かつ、標準ガマットでの送信をする。そしてステップＳ１２８に進み、後手順を実行してステップＳ６３に進む。
【００４６】
以上説明したように本実施の形態２によれば、色空間ｓＹＣＣのカラー画像情報を送信する場合、１画素情報の拡張ビット数の送信指定、及び色空間ｓＹＣＣのカラー画像情報の送信時のガミュート送信指定を変更することにより、将来的に、デジタルスチルカメラで撮影したカラー画像情報の機能拡張に適切に対応できるようになる。
【００４７】
また本実施の形態２によれば、色空間ｓＹＣＣのカラー画像情報を送信する場合、１画素情報の拡張ビット数の送信指定、及び色空間ｓＹＣＣのカラー画像情報の送信時のガミュート送信指定を変更する事により、将来的に、デジタルスチルカメラで撮影したカラー画像情報の機能拡張に適切に対応できる。
【００４８】
また、原稿画像を読み取って色空間Ｌａｂのカラー画像情報を送信する場合には、１画素情報の拡張ビット数の送信指定、及び、色空間ｓＹＣＣのカラー情報の送信時のガミュート送信指定を変更の必要は無く、この拡張に対応せずに確実にカラー原稿送信できる。
【００４９】
以上説明した実施の形態は以下の実施態様で表わすことができる。
【００５０】
［実施態様１］  カラー画像情報を送受信する画像通信方法であって、
送信側の通信装置に対して、
色空間ｓＹＣＣでのＪＰＥＧ符号情報の受信機能の有無を通知する工程と、
色空間ｓＹＣＣでの１画素情報の拡張ビット数の受信機能の有無を通知する工程と、
色空間ｓＹＣＣでの非標準ガミュート範囲の受信機能の有無を通知する工程とを有し、
受信側の通信装置に対して、
色空間ｓＹＣＣでのＪＰＥＧ符号情報の送信を指定する工程と、
色空間ｓＹＣＣでの１画素情報の拡張ビット数の送信を指定する工程と、
色空間ｓＹＣＣでの非標準ガミュート範囲の送信を指定する工程とを有し、
前記送信側の通信装置においてカラー画像情報の送信が選択されると、前記受信側の通信装置の有する機能に応じて、前記カラー画像情報のガミュート送信指定を変更することを特徴とする画像通信方法。
【００５１】
［実施態様２］  前記送信側の通信装置は、原稿画像のカラー送信が選択されると、カラー画像情報の１画素情報の拡張ビット数の送信指定を変更することを特徴とする実施態様１に記載の画像通信方法。
【００５２】
［実施態様３］  前記送信側の通信装置は、原稿画像のカラー送信が選択されると、色空間ｓＹＣＣでのカラー通信を色空間Ｌａｂでのカラー通信より優先させることを特徴とする実施態様１又は２に記載の画像通信方法。
【００５３】
［実施態様４］  前記送信側の通信装置は、原稿画像のカラー送信が選択されると、前記受信側の通信装置が色空間ｓＹＣＣでのカラー画像の受信機能を有していれば、カラー画像情報の送信時のガミュート送信指定を変更することを特徴とする請求項１に記載の画像通信方法。
【００５４】
［実施態様５］  前記送信側の通信装置は、原稿画像のカラー送信が選択されると、前記受信側の通信装置が色空間ｓＹＣＣでのカラー画像の受信機能を有していれば、カラー画像情報の送信時の１画素情報の拡張ビット数の送信指定を変更することを特徴とする請求項１に記載の画像通信方法。
【００５５】
［実施態様６］  カラー画像情報を送受信する画像通信装置であって、
色空間ｓＹＣＣでのＪＰＥＧ符号情報の送信を指定する手段と、
色空間ｓＹＣＣでの１画素情報の拡張ビット数の送信を指定する手段と、
色空間ｓＹＣＣでの非標準ガミュート範囲の送信を指定する手段とを有し、
カラー画像情報の送信が選択されると、受信側の通信装置の有する機能に応じて、前記カラー画像情報のガミュート送信指定を変更する制御手段と、
を有することを特徴とする画像通信装置。
【００５６】
［実施態様７］  前記制御手段は、原稿画像のカラー送信が選択されると、カラー画像情報の１画素情報の拡張ビット数の送信指定を変更することを特徴とする実施態様６に記載の画像通信装置。
【００５７】
［実施態様８］  前記制御手段は、原稿画像のカラー送信が選択されると、色空間ｓＹＣＣでのカラー通信を色空間Ｌａｂでのカラー通信より優先させることを特徴とする実施態様６又は７に記載の画像通信装置。
【００５８】
［実施態様９］  前記制御手段は、原稿画像のカラー送信が選択されると、前記受信側の通信装置が色空間ｓＹＣＣでのカラー画像の受信機能を有していれば、カラー画像情報の送信時のガミュート送信指定を変更することを特徴とする請求項６に記載の画像通信装置。
【００５９】
［実施態様１０］  前記制御手段は、原稿画像のカラー送信が選択されると、前記受信側の通信装置が色空間ｓＹＣＣでのカラー画像の受信機能を有していれば、カラー画像情報の送信時の１画素情報の拡張ビット数の送信指定を変更することを特徴とする請求項６に記載の画像通信装置。
【００６０】
［実施態様１１］  カラー画像情報を送受信する画像通信装置であって、
色空間ｓＹＣＣでのＪＰＥＧ符号情報の送信を指定する手段と、
色空間ｓＹＣＣでの１画素情報の拡張ビット数の送信を指定する手段と、
色空間ｓＹＣＣでの非標準ガミュート範囲の送信を指定する手段とを有し、
送信対象の画像ファイル及び受信側の通信装置の有する機能に応じて、前記カラー画像情報のガミュート送信指定を変更する制御手段と、
を有することを特徴とする画像通信装置。
【００６１】
［実施態様１２］  前記制御手段は、カラー画像情報の１画素情報の拡張ビット数の送信指定を変更することを特徴とする実施態様１１に記載の画像通信装置。
【００６２】
［実施態様１３］  前記制御手段は、色空間ｓＹＣＣでのカラー通信を色空間Ｌａｂでのカラー通信より優先させることを特徴とする実施態様１１又は１２に記載の画像通信装置。
【００６３】
［実施態様１４］  前記制御手段は、前記受信側の通信装置が色空間ｓＹＣＣでのカラー画像の受信機能を有していれば、カラー画像情報の送信時のガミュート送信指定を変更することを特徴とする請求項１１に記載の画像通信装置。
【００６４】
［実施態様１５］  前記制御手段は、前記受信側の通信装置が色空間ｓＹＣＣでのカラー画像の受信機能を有していれば、カラー画像情報の送信時の１画素情報の拡張ビット数の送信指定を変更することを特徴とする請求項１１に記載の画像通信装置。
【００６５】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００６６】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００６７】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００６８】
【発明の効果】
以上説明したように本発明によれば、将来的なカラー画像情報の送受信のための汎用的な通信制御を提供できる。例えば、色空間ｓＹＣＣのカラー画像情報を送信する場合におけるカラー画像情報の送受信の機能拡張に適切に対応できるという効果がある。
【図面の簡単な説明】
【図１】本発明の実施の形態に係るファクシミリ装置の構成を示す機能ブロック図である。
【図２】本実施の形態１に係るファクシミリ装置で使用されるＤＩＳ／ＤＴＣ，ＤＣＳ信号のＦＩＦ情報の具体例を示す図である。
【図３】本実施の形態１に係るファクシミリ装置で使用されるＤＩＳ／ＤＴＣ，ＤＣＳ信号のＦＩＦ情報の具体例を示す図である。
【図４】本実施の形態１に係るファクシミリ装置における制御の流れを説明するフローチャートである。
【図５】本実施の形態１に係るファクシミリ装置における制御の流れを説明するフローチャートである。
【図６】本実施の形態１に係るファクシミリ装置における制御の流れを説明するフローチャートである。
【図７】本実施の形態１に係るファクシミリ装置における制御の流れを説明するフローチャートである。
【図８】本実施の形態１に係るファクシミリ装置における制御の流れを説明するフローチャートである。
【図９】本発明の実施の形態２に係るファクシミリ装置における制御の流れを説明するフローチャートである。
【図１０】本実施の形態２に係るファクシミリ装置における制御の流れを説明するフローチャートである。
【図１１】本実施の形態２に係るファクシミリ装置における制御の流れを説明するフローチャートである。
【図１２】本実施の形態２に係るファクシミリ装置における制御の流れを説明するフローチャートである。
【図１３】本実施の形態２に係るファクシミリ装置における制御の流れを説明するフローチャートである。
【図１４】本実施の形態２に係るファクシミリ装置における制御の流れを説明するフローチャートである。
【図１５】本実施の形態２に係るファクシミリ装置における制御の流れを説明するフローチャートである。
【図１６】本実施の形態２に係るファクシミリ装置における制御の流れを説明するフローチャートである。
【図１】
2004229136.tif 000003
【図２】
2004229136.tif 000004
【図３】
2004229136.tif 000005
【図４】
2004229136.tif 000006
【図５】
2004229136.tif 000007
【図６】
2004229136.tif 000008
【図７】
2004229136.tif 000009
【図８】
2004229136.tif 000010
【図９】
2004229136.tif 000011
【図１０】
2004229136.tif 000012
【図１１】
2004229136.tif 000013
【図１２】
2004229136.tif 000014
【図１３】
2004229136.tif 000015
【図１４】
2004229136.tif 000016
【図１５】
2004229136.tif 000017
【図１６】
2004229136.tif 000018